(57)【要約】  本発明は、設定可能なパラメータの第１のセットの事前決定可能なパラメータ値を有するオーディオ信号を出力するための第１出力装置（１）と、パラメータ値を記憶するためのデータストレージ（２）と、管理装置（３）とを備えるオーディオ信号を出力するためのシステムに関する。したがって、管理装置（３）は、データストレージ（２）にアクセスして、パラメータの第１のセットと等しい又は類似するパラメータのセットについて記憶されたパラメータ値を検索する。さらに、記憶されたパラメータ値を見つけた場合、管理装置（３）はパラメータ値及び／又はそこから決定されたパラメータ値を第１出力装置（１）に転送する。【選択図】図１
2019503503.tif 000002
【特許請求の範囲】
【請求項１】
オーディオ信号を出力するためのシステムであって、
オーディオ信号を出力するための第１出力装置（１）を備え、
前記第１出力装置（１）は、設定可能なパラメータの第１のセットの事前決定可能なパラメータ値を有するオーディオ信号を出力するように構成され、
パラメータ値を記憶するための少なくとも１つのデータストレージ（２）を備え、
少なくとも１つの管理装置（３）を備え、
前記管理装置（３）は前記データストレージ（２）にアクセスするように構成され、
前記管理装置（３）は前記パラメータの第１のセットと等しい又は前記パラメータの第１のセットと類似するパラメータのセットについて記憶されたパラメータ値を前記データストレージ（２）で検索するように構成され、
前記管理装置（３）が前記データストレージ（２）において前記パラメータのセットについての記憶されたパラメータ値を見つけた場合、前記管理装置（３）は、前記パラメータのセットについて前記記憶されたパラメータ値及び／又はそこから決定されたパラメータ値を前記第１出力装置（１）に転送するように前記管理装置（３）が構成される、システム。
【請求項２】
請求項１に記載するシステムであって、
前記システムはオーディオ信号を出力するための第２出力装置（４）を備え、
前記第２出力装置（４）は、設定可能なパラメータの第２のセットの事前決定可能なパラメータ値を有する信号を出力するように構成され、
前記管理装置（３）は、前記パラメータの第２のセットの前記パラメータ値を事前決定した後、前記設定可能なパラメータの第２のセットの前記事前決定可能なパラメータ値が設定されたパラメータに設定されるように、前記データストレージ（２）に前記パラメータの第２のセットの少なくとも前記設定されたパラメータ値を記憶するように構成されることを特徴とするシステム。
【請求項３】
請求項１又は請求項２に記載するシステムであって、
前記管理装置（３）は、前記設定されたパラメータ値を、前記第２出力装置（４）のタイプ及び／又はユーザ（６）及び／又は環境状況（７、８）及び／又は出力される前記オーディオ信号及び／又は出力される前記オーディオ信号のタイプに関連付けて前記データストレージ（２）に記憶するように構成されることを特徴とするシステム。
【請求項４】
請求項１ないし請求項３のいずれかに記載するシステムであって、
前記管理装置（３）は、前記パラメータのセットについての前記記憶されたパラメータ値を前記データストレージ（２）で検索するとき、前記第１出力装置（１）に関連付けられたユーザ（６）を考慮に入れるように構成され、前記管理装置（３）は、前記ユーザに類似する好みを有するユーザに関連付けられたパラメータのセットについての記憶されたパラメータ値を好むことを特徴とする、システム。
【請求項５】
請求項４に記載するシステムであって、
前記管理装置（３）は、前記パラメータのセットについての前記記憶されたパラメータ値を前記データストレージ（２）で検索するとき、前記第１出力装置（１）に関連付けられたユーザ（６）を考慮に入れるように構成され、前記管理装置（３）は、前記ユーザと、異なる出力装置のタイプに関連付けられたパラメータのセットについて記憶されたパラメータ値を、前記出力装置のタイプと他のユーザに関連付けられたパラメータのセットについての記憶されたパラメータ値とを比較し、前記データストレージから、前記比較の結果が最も類似するユーザに関連付けられた前記パラメータのセットについての記憶されたパラメータ値を選択することを特徴とする、システム。
【請求項６】
請求項１ないし請求項５のいずれかに記載するシステムであって、
前記管理装置（３）は、前記パラメータのセットについての前記記憶されたパラメータ値を前記データストレージ（２）で検索するとき、前記第１出力装置（１）に関連付けられた現在の環境状況を考慮に入れるように構成され、前記管理装置（３）は、前記現在の環境状況に類似する環境状況に関連付けられたパラメータのセットについての記憶されたパラメータ値を好むことを特徴とする、システム。
【請求項７】
請求項１ないし請求項６のいずれかに記載するシステムであって、
前記管理装置（３）は、前記パラメータのセットについての前記記憶されたパラメータ値を前記データストレージ（２）で検索するとき、出力される前記オーディオ信号を考慮に入れるように構成され、前記管理装置（３）は、前記出力されるオーディオ信号に類似するオーディオ信号に関連付けられたパラメータのセットについての記憶されたパラメータ値を好むことを特徴とする、システム。
【請求項８】
請求項１ないし請求項７のいずれかに記載するシステムであって、
前記管理装置（３）は、ユーザ（６）に関連付けられ前記データストレージ（２）に記憶された前記パラメータ値をはじめとする前記ユーザ（６）についてのユーザプロファイル（９）を形成するように構成されることを特徴とするシステム。
【請求項９】
請求項８に記載するシステムであって、
オーディオ信号を出力するための第４出力装置（１０）を備え、
前記第４出力装置（１０）は設定可能なパラメータの第４セットの事前決定可能なパラメータ値を有するオーディオ信号を出力するように構成され、
前記管理装置（３）は、形成された前記ユーザプロファイル（９）から、パラメータの第４のセットについてのパラメータ値を決定し、これを前記第４出力装置（１０）に転送するように構成されることを特徴とするシステム。
【請求項１０】
請求項８又は請求項９に記載するシステムであって、
前記管理装置（３）は、前記ユーザ（６）について形成された前記ユーザプロファイル（９）から他のユーザ（１１）についてのユーザプロファイルを決定するように構成されることを特徴とするシステム。
【請求項１１】
請求項１ないし請求項１０のいずれかに記載するシステムであって、
前記データストレージ（２）はクラウドベースで実装されることを特徴とするシステム。
【請求項１２】
出力装置（１）を使用してオーディオ信号を出力するための方法であって、
前記出力装置（１）の設定可能なパラメータのセットと等しい又は類似するパラメータのセットについてのパラメータ値のセットが検索され、
前記パラメータのセットについてのパラメータ値が見つかった場合、前記パラメータ値及び／又はそれから決定されたパラメータ値が前記第１出力装置（１）に転送され、
前記転送されたパラメータ値を適用する間に、前記オーディオ信号が前記出力装置（１）を使用して出力される、方法。
【請求項１３】
事前決定可能なパラメータ値を有するオーディオ信号を出力するための出力装置（１）の設定可能なパラメータの第１のセットの前記事前決定可能なパラメータ値を設定するための設定装置であって、
パラメータ値を記憶するための少なくとも１つのデータストレージ（２）を備え、
少なくとも１つの管理装置（３）を備え、
前記管理装置（３）は前記データストレージ（２）にアクセスするように構成され、
前記管理装置（３）は、前記パラメータの第１のセットと等しい又は前記パラメータの第１のセットと類似するパラメータのセットについて記憶されたパラメータ値を、前記データストレージ（２）で検索するように構成され、
前記管理装置（３）が、前記パラメータのセットについて記憶されたパラメータ値を、前記データストレージ（２）で見つけた場合、前記管理装置（３）は前記パラメータのセットについての前記記憶されたパラメータ値及び／又はそれから決定されたパラメータ値を前記第１出力装置（１）に転送するように構成される、設定装置。
【発明の詳細な説明】
【技術分野】
【０００１】
本発明は、オーディオ信号を出力するためのシステムに関する。さらに、本発明は、出力装置を使用してオーディオ信号を出力するための方法と、オーディオ信号を出力するためのパラメータ値を設定するための設定装置とに関する。
【背景技術】
【０００２】
オーディオ信号を再生するとき、音楽や音声の両方とも、希望する音に関してそれぞれのユーザや聴取者の好みに強く依存する。例えば、周波数応答、動的挙動、又は信号強化方法についての初期値に関連する。したがって、再生について設定可能なパラメータの設定は個々に行われ、おそらく既存の聴覚問題も考慮に入れられる。
【０００３】
それに加えて、特定の聴取者は、近頃、彼又は彼女が自由に使える、端末装置（例えば、ラウドスピーカーシステム、テレビ、ラジオ、コンピュータ、携帯電話、固定電話、カーラジオなど）のような複数の出力装置、ソフトウェアプログラム（例えば、音楽を聴くため、ポッドキャスト、テレビ会議のためのいわゆるアプリケーション）、複数のアプリケーションのシナリオ（例えば、音楽又は話されたテキストを聴いたり、電話したり、又はテレビ会議やチャットシステムに参加したりすること）を有する。それは、異なる設定パラメータをそれぞれ提示し、異なるパラメータ値をそれぞれ必要とする。
【０００４】
パラメータの最適な設定は、それぞれのアプリケーション又は端末装置、又はそれぞれの端末装置及びアプリケーションの組み合わせについて最適な聴取経験について設定しなければならない。ユーザに関する複雑性は大きい。それに加えて、パラメータを設定することについて対応するユーザインターフェースを提供することの複雑性は、アプリケーション又は端末装置の製造の一部で、追加の複雑性や追加の費用を要求する。そのため、実際に設定の要求された方法の実現が除外される。
【０００５】
この複雑性又は設定の要求された方法の欠損は、ユーザが実行しない、又は個別化もしくはただ不完全なものを実行できない、という結果を有する。そのため、彼又は彼女は音質が悪いという経験をする、又は会話に関する理解が苦痛に感じる、又は高い聴取努力を必要とされる。
【０００６】
複雑性を低減するため、又は個別化について意図がない若しくは単なる費用的な理由について結果として、音の設定のとても簡素化された方法（例えば、音量だけ又は高音／低音操作だけ）が、多くの機器又はアプリケーションに実装される。
【発明の概要】
【発明が解決しようとする課題】
【０００７】
全体としてみると、現代のオーディオ信号処理の可能性は、例えば、聴取環境又は聴取者の聴覚損失の適用に関して、十分に利用されていない。
【０００８】
それゆえに、本発明の根本的な目的は、オーディオ信号の出力の個別化をより簡単にし、それによって聴取者にとってより快適にすることである。
【０００９】
この目的は、オーディオ信号を出力することについてのシステムによって達成される。
【課題を解決するための手段】
【００１０】
システムは、オーディオ信号を出力するための第１出力装置と、パラメータ値を記憶するための少なくとも１つのデータストレージと、少なくとも１つの管理装置を備える。したがって、第１出力装置は、設定可能なパラメータの第１のセットの事前決定可能なパラメータ値を有するオーディオ信号を出力するように構成される。さらに、管理装置はデータストレージにアクセスするように構成される。さらに、管理装置はパラメータの第１のセットと等しい又はパラメータの第１のセットと類似するパラメータのセットについて記憶されたパラメータ値をデータストレージで検索するように構成される。ここで、検索は、いくつかの実装において、特定の基準の使用又は記憶されたデータの一部への制限によって実行されるデータストレージの検索に関する。最後に、管理装置がデータストレージにおいてパラメータのセットについての記憶されたパラメータ値を見つけた場合、管理装置はパラメータのセットについて記憶されたパラメータ値及び／又はそこから決定されたパラメータ値を第１出力装置に転送するように管理装置が構成される。設定可能なパラメータは、例えば、音量、高音もしくは低音の設定又は個別の周波数帯の特別な設定、動的範囲を変更するための特性線、信号レンダリング（ｒｅｎｄｅｒｉｎｇ）アルゴリズムの適用度であるかもしれない。設定可能なパラメータは、例えば、イコライザのフィルタ機能が決定又は設定できる値である。決定は特にパラメータ値の計算に言及する。例えば、平均値を形成することによって、既知の事柄から推定すること又は挿入することによって、スプライン成形又は、サンプル率の変更などである。これは、例えば、複雑なパラメータや好みを必然的に伴う。それは、その時の設定を決定するために使用される聴取者／ユーザの聴覚損失のように、周波数に依存する動的圧縮のパラメータのようなものである。
【００１１】
本発明のシステムにおいて、（第１、代わりの言葉は現在の）出力装置は、端末装置のような、オーディオ信号を実際に出力するために使用される。出力するために、出力装置はいくつかの設定可能なパラメータを含み、そのパラメータ値は事前決定され、すべてまとめてパラメータの（第１の）セットを形成する。
【００１２】
さらに、パラメータ値を記憶するデータストレージが提供される。好ましくは、それぞれのパラメータのセットの組み合わせ及びそれぞれのパラメータ値が記憶される。
【００１３】
さらに、管理装置は提供され、管理装置はデータストレージにアクセスし、既存のパラメータのセット、すなわち記憶されたものを検索する。どちらも（第１又は現在の）出力装置のパラメータのセットと等しい又はこのセットに類似する。このような一致するパラメータのセットが見つかったとき、管理装置はそれぞれのセットに属するパラメータ値を（第１の）出力装置に転送するだろう。代わりに又はさらに、管理装置は記憶されたパラメータ値から決定又は導出されたパラメータ値を第１／現在の出力装置に転送する。他のパラメータを見つけ記憶されたパラメータに関連付けられたパラメータ値から生成され、出力装置に転送される。送信されたパラメータ値、すなわち、以前に記憶された又は決定されたものは、その後、オーディオ信号を出力するために（第１）出力装置によって使用される。
【００１４】
本発明は、実施例を使用して以下に述べられるだろう、同時に典型的な実装について述べられるだろう。
【００１５】
ユーザ又は聴取者は、出力装置のパラメータを設定し、結果は、彼又は彼女にとって最適な音のパターンであるだろう。それぞれのパラメータ値はデータストレージに記憶される。聴取者が、後で出力装置を経てオーディオ信号を出力したいとき、管理装置は関連性のあるパラメータのセットをデータストレージで検索し、それぞれのパラメータ値を出力装置に転送する。その後、これらのパラメータ値すなわち、彼又は彼女によって設定されたパラメータ値を使用して、聴取者にとって最適な方法でオーディオ信号を再生するだろう。聴取者が最適な設定を事前準備している出力装置や、彼又は彼女が今オーディオ信号を聞きたいと思う出力装置は異なるが、類似する装置であるとき、データストレージは良く似たパラメータのセットのみが含まれるだろう。この場合、管理装置は、パラメータ値を、管理装置が記憶されたパラメータ値から決定した現在の出力装置に転送するだろう。個別のパラメータについて決定するとき、それぞれのパラメータ値を、例えば、転送するだろう。異なるパラメータを有するそれぞれのパラメータ値は、例えば、それについて他のパラメータ又はパラメータ値から決定されるだろう。これは、既知の事柄から推定することによって典型的に実行され、平均値又は他のパラメータ値からの推定を形成する。
【００１６】
一実施形態では、システムは、出力装置から生じたパラメータ設定を見つけるためのインターフェイスを備える。さらに、環境状況に関する情報、すなわちオーディオ信号を出力することを実行する文脈及び／又はそれぞれのユーザにおいて、インターフェイスを使用して見つけられるだろう。ユーザは、ここでは、個別群から成る。情報は、ここでは、（例えば、聴取者のアルゴリズムのような）抽象度又は特定の値を示す。
【００１７】
一実施形態では、関連のある情報は、オフラインで見つけられ、後で管理装置又はデータストレージに転送されるだけである。
【００１８】
他の実施形態では、パラメータ値を現在又は第１出力装置に転送することを許可するインターフェイスがある。一実施形態では、情報はオフラインであり、したがって、オーディオ信号を実際に出力する前に転送される。
【００１９】
異なる表現、すなわち、出力装置（本アプリケーションにおいて、例示的に第２出力装置に関連する）を使用して出力するために事前決定された、履歴のあるパラメータ値が、現在該当する出力装置（ここでは、一般に第１出力装置に関連する）を使用してオーディオ信号を出力するためのパラメータ値の設定について使用される。
【００２０】
全体として、システムは、すべての出力装置にとって特異的なパラメータを設定する必要はないが、システムは存在するデータセットからこれをすることができるという、ユーザ又は聴取者にとって、とても大きな利点を有している。したがって、ユーザが既に設定を実行した出力装置又は端末装置が考慮されるだけでなく、ユーザに関連しないそれらが限定された範囲でも実行される。その結果として、記憶されたパラメータ値の直接的な出力又はパラメータ値の出力が決定され、導出される。
【００２１】
他の利点は、パラメータの設定とパラメータ値の適用とが分離されることであり、パラメータ値の設定がいつでも可能であり、いくつかのアプリケーションで使用され、例えば、計算機によるように、自動的に決定するパラメータ値が可能になるためである。
【００２２】
出力装置の製造にとっての１つの利点、すなわち端末装置は、好み又は設定を中心に管理するとき、機器を設定することについて特別なインターフェイスを必要としないことである。
【００２３】
次の実装は、管理装置が後でアクセスできるデータストレージにパラメータ値を記憶することに関する。
【００２４】
したがって、システムは、さらに、オーディオ信号を出力するための第２出力装置を備る。一実施形態では、特に、一時的にのみ存在する。第２出力装置は、設定可能なパラメータの第２のセットの事前決定可能なパラメータ値を有する信号を出力するように構成される。さらに、管理装置は、パラメータの第２のセットのパラメータ値を事前決定した後、データストレージに設定パラメータ値を少なくとも１つ記憶するように構成される。パラメータの第２のセットのパラメータ値を事前決定した後、設定可能な第２のパラメータの第２のセットの事前決定可能なパラメータ値をパラメータに設定する。第２出力装置（代わりの言葉は以前の）は、システムの一部であり、特に第１（現在の）出力装置の前に、オーディオ信号を出力することに影響を与えるパラメータを設定するためにユーザ又は聴取者に役立つ。設定が実行されたとき、すなわち、ユーザが第２出力装置についてパラメータ値を事前決定したとき、管理装置は第１出力装置で更なる使用についてパラメータ値を記憶する。事前決定されたパラメータ値は、特に第２出力装置のユーザが出力装置で設定することを意味し、その結果、彼又は彼女にとって最適な音の構造になる。
【００２５】
一実施形態において、第１出力装置及び第２出力装置は異なる出力装置であり、一実施形態において、同じタイプの出力装置に少なくとも属し、代わりの実施形態において、異なるタイプの出力装置に属する。一実施形態において、出力装置のタイプは、機器自体に関する。すなわち、例えば、コンピュータ、ステレオセット、スマートフォンである。異なる実施形態において、そのタイプは、同じ基本的なタイプであるが、異なるバージョン又はクラスである。他の実施形態において、第１出力装置又は第２出力装置は等しいか、例えば、個別の出力装置がシステムに２回接続される。最後の実施の形態において、システムはパラメータ値を記憶する。
【００２６】
実施形態に依存して、第２出力装置の記憶されたパラメータ値は、第１出力装置のパラメータのセットに関連して、パラメータの同じ又は類似する又は異なるセットに関連する。
【００２７】
代わりに又はさらに、パラメータ値はデータストレージに直接記憶され、出力装置で設定を迂回することはない。これは、出力装置において、設定可能なパラメータの直接的な入力パラメータ値を許可するインターフェイスによって例示的になされる。
【００２８】
一実施形態において、管理装置が、例えば現在又は第１出力装置から直接的に、パラメータが第１出力装置で設定されること示すように構成されるよう規定される。管理装置は、結果として、パラメータ値でいっぱいにされたパラメータ値の第１のセットで情報を得る。
【００２９】
パラメータ値の更なる実行又はデータセットを見つけるために、１つの実装は、設定されたパラメータ値を、第２出力装置のタイプ及び／又はユーザ及び／又は環境状況及び／又は出力されるオーディオ信号及び／又は出力される前記オーディオ信号のタイプに関連付けてデータストレージに記憶するように構成される管理装置を規定する。１つのバリエーションにおいて、出力装置のタイプも、一実施形態において、第２出力装置において設定されるパラメータ値に対応して記憶される。そのタイプは、それぞれのパラメータ、又はパラメータの設定方法、又はアプリケーションのタイプにも例示的に関連する。
【００３０】
代わりに又はさらに、パラメータ値はそれぞれのユーザ又は環境状況に属するように記憶される。環境状況又は聴取状況は、ここでは、オーディオ信号が再生される環境である。参考文献は、ここでは、ドイツ公開特許１０ ２０１１ ０７６ ４８４号の説明に記載されている。環境状況は例示的にそれぞれの音量に影響する。
【００３１】
さらに又は代わりに、パラメータ値はオーディオ信号のタイプ又は種類に依存して記憶される。したがって、クラシック又はジャズ又はポップ音楽の信号、映画の信号などのようにオーディオ信号は音声信号や音楽信号として例示的に記憶される。ユーザによって又はオーディオ信号を評価することによって、最初に分類されても良い。オーディオ信号のタイプも混合されている、又はアプリケーション又は端末装置のタイプによって事前決定しうる。したがって、電話によって転送されたオーディオ信号は通常音声信号であるだろう。この更なる分類は、結果としてそれぞれの信号やそれらの特徴を考慮に入れて聴き好みをさらに厳密に設定することを許可する。
【００３２】
出力装置のタイプ、又は個々のユーザ、又はそれぞれの環境状況へのパラメータ値の関連は、パラメータ値を評価又は更なる実行に対応して許可される。これは、パラメータ値が、データストレージで、それぞれのアプリケーション又はそれぞれの出力装置に現在必要とされるすべてのパラメータについて記憶されていないという場合に、特に役立つ。
【００３３】
一実施形態において、管理装置は、パラメータのセットについての記憶されたパラメータ値をデータストレージで検索するとき、第１出力装置に関連付けられたユーザを考慮に入れるように構成される。ユーザは、ここでは、例えば、ログインした又はこの瞬間、オーディオ信号を出力するための出力装置を使用したい聴取者である。考慮することは、ここでは、ユーザに類似する好みを有するユーザに関連付けられたパラメータのセットについての記憶されたパラメータ値を好むことを意味する。ユーザは、ここでは、同じグループ（例えば、クラッシック又はロック音楽の仲間のような）の聴取者に属するユーザとほかのユーザに関係する。代わりに、好みはバスの音域を好むような設定における類似に関する。好みは、ここでは、似ていても等しくても良い。類似性は偏向が事前に準備できる偏向帯であることかもしれない。
【００３４】
以前の実施形態又は代わりの実施形態に追加する実施形態において、管理装置は、パラメータのセットについての前記記憶されたパラメータ値をデータストレージで検索するとき、第１出力装置に関連付けられたユーザを考慮に入れるように構成され、管理装置（３）は、ユーザと、異なる出力装置タイプに関連付けられたパラメータのセットについて記憶されたパラメータ値を、出力装置のタイプと他のユーザに関連付けられたパラメータのセットについての記憶されたパラメータ値と比較し、データストレージから、比較の結果が最も類似するユーザに関連付けられたパラメータのセットについての記憶されたパラメータ値を選択することを備える。出力装置のほかのタイプも、ここでは考慮され、一般的な好みは、ユーザ達やユーザにおいて異なる出力装置についてパラメータ値を比較することによって明らかになるだけであることを意味する。特定の聴取者への参照は、ここでは、個々のユーザに関連するデータストレージにおいて記憶されたデータを必要とする。一実施形態において、現在のユーザから、彼／彼女の現在の出力装置で管理装置にログインするように提供される。
【００３５】
一実施の形態において、管理装置は、パラメータのセットについての記憶されたパラメータ値をデータストレージで検索するとき、第１出力装置に関連付けられた現在の環境状況を考慮に入れるように構成され、管理装置は、現在の環境状況に類似する環境状況に関連付けられたパラメータのセットについての記憶されたパラメータ値を好むことを備える。好みは、ここでは、検索するときに関連付けられたデータ又はパラメータ値がより優先度が高く受信することを意味する。特に、同じ又は類似する環境状況に関連するパラメータ値が好まれる。例えば、これはドライブ、閉鎖された又は開放されたスペースでの再生、空の又はいっぱいのスペースにおける信号再生、電車が到着しているときなどのプラットホームの音声再生である。
【００３６】
代わりの又は追加の実施形態において、管理装置は、パラメータのセットについての記憶されたパラメータ値をデータストレージで検索するとき、出力されるオーディオ信号を考慮に入れるように構成され、管理装置は、出力されるオーディオ信号に類似するオーディオ信号に関連付けられたパラメータのセットについての記憶されたパラメータ値を好むことを備える。この実施形態において、類似する信号のタイプ又は信号の種類に関連するパラメータ値が好まれる。例えば、これらは、音楽信号とは対照的な音声信号、又は電話と対照的なラジオ再生信号であるかもしれない。この実施形態において、オーディオ信号自身は、それぞれの聴取者の好みも考慮に入れられることも影響するかもしれない。したがって、音声信号において、例えば、異なる周波数範囲が音楽よりも増幅される。
【００３７】
加えて、ある実施形態は、管理装置について、以下のように構成されることを備える。
データストレージがパラメータの第１のセットに対するパラメータ値を損失する場合、管理装置はデータストレージにおいて記憶されたパラメータ値を使用して少なくとも１つの不明な周波数範囲を決定する。この実施形態は、記憶されたデータはパラメータ値を有していない、すなわち不明であるパラメータを第１出力装置のパラメータの第１のセットが少なくとも１つ備える場合に関する。この場合について、管理装置は、存在するパラメータから不明なパラメータ値を決定することによって不明なパラメータ値を生成するだろう。これは、存在するパラメータ値から平均値を生成すること、又は既知の事柄から推定すること又は挿入することを実行することによって例示的に行われる。
【００３８】
状況に依存して、いくつかのパラメータ値は不明であるかもしれない、又はパラメータの完全なセットについてデータストレージにおいて対応して一致する現在のセットがない場合さえあるかもしれない。この場合、パラメータのセットは完全に不明であり、一実施形態は管理装置に通知を出力するように提供される。これは、例えば、パラメータのセットがない又はほぼ同等のセットだけがあるという場合かもしれない。代わりに、パラメータの完全に不明のセットの場合、パラメータ値は記憶されたパラメータ値から決定される。
【００３９】
後の実施形態において、管理装置は、好ましくは、不明なパラメータ値を決定するとき、ユーザに関連付けられ、データストレージに記憶されたパラメータ値を考慮に入れるように構成される。
【００４０】
一実施形態において、不明なパラメータ値を決定するために、又はパラメータの完全なセットに対するパラメータ値もしくはすべてのパラメータ値を除外するために、ユーザに関連するパラメータ値だけが使用されるだろう。オーディオ信号は、ここでは、第１／現在の出力装置を経てユーザについて出力される。この実施形態において、記憶されたパラメータ値の形でユーザの特別な好みは、より好まれ又は不明なパラメータ値を決定するためにだけ使用されるだろう。この実施形態のために、それぞれのユーザにとってパラメータ値に関連して記憶されたものは、結果的に利点である。さらに、ユーザが彼自身又は彼女自身をシステム又は管理装置において知られる方法は、好ましくは、実現される。
【００４１】
後の実施形態では、特に、データストレージにおいて現在のパラメータのセットではない場合であり、第１出力装置のパラメータの第１のセットと等しい。
【００４２】
実施形態は、管理装置がパラメータの第１のセットと類似するパラメータのセットをデータストレージで見つけた場合、管理装置をそれぞれの及び記憶されたパラメータ値をパラメータの第１のセットに適用し、適用されたパラメータ値を第１出力装置に転送するように構成されるように備える。管理装置は、オーディオ信号を出力するための第１出力装置によって使用されるために、パラメータ（オーディオ信号を出力することを現在要求される）の第１のセットを適合するように、パラメータのセットのパラメータ値を適用する。類似するパラメータのパラメータ値は、例えば、受け入れられる。
【００４３】
次の実施形態において、ユーザに関連づけられたパラメータ値は抽象的な全体構造を形成するために結束される。したがって、一実施形態において、管理装置は、ユーザに関連付けられデータストレージに記憶されたパラメータ値をはじめとするユーザについてのユーザプロファイルを形成するように構成される。ユーザプロファイルは、例えば、より簡単に不明なパラメータ値を決定することができるようにするために、出力装置に関わらない抽象的なレベル又は環境状況でそれぞれのユーザの好みを記載する。ユーザプロファイルの決定は、動的な学習に対する方法を使用することを実行する。したがって、もし適用できるなら、パラメータはお互いに特異的なレベル及び抽象的なレベルで結合されるかもしれない。例示的に、ある状況において、パラメータのセットに対するパラメータ値は、ユーザプロファイルの一般的な又は抽象的なフレームから除外され、このような状況で、アプリケーションに絶対的に必要であるかもしれない。したがって、ユーザは、音声信号を携帯電話から到着する電車（又は一般に「大きい背景ノイズ」といわれる）にとても強く増幅されることをより好む。一方、いかなる状況下で異なるユーザがとても大きい信号を聞きたいとしても、結果として通話を理解しないで受け入れるだろう。
【００４４】
一実施形態において、システム、例えば一時的にのみ、オーディオ信号を出力するための第４出力装置を備え、第４出力装置は設定可能なパラメータの第４のセットの事前決定可能なパラメータを有するオーディオ信号を出力するように構成される。さらに、管理装置は、形成されたユーザプロファイルから、パラメータの第４のセットについてパラメータ値を決定し、これを第４出力装置に転送するように構成される。この実施形態から、別のバリエーションにおいて、第４出力装置について設定可能なパラメータのセットを検索することは除外され、第４出力装置で使用されるためにパラメータの第４のセットに対するパラメータ値が少なくとも１つのユーザプロファイルを使用して直接的に決定され、第４出力装置に転送される。結果として、第４出力装置も第１出力装置のような現在の出力装置である。しかしながら、パラメータ値はユーザプロファイルを使用して特異的に決定される。
【００４５】
代わりのバリエーションでは、パラメータのセットを検索することは、結果として、ユーザプロファイルから出発するときに、現在必要とされたパラメータ値を決定するために抽象的なユーザプロファイルを使用して直接的に操作することによって、本発明から除外される。
【００４６】
別の実施形態において、管理装置は、ユーザについて形成されたユーザプロファイルから他のユーザについてのユーザプロファイルを決定するよう構成される。一実施形態において、他のユーザに対するユーザプロファイルは、パラメータのセットに対するパラメータ値に制限される。一実施形態において、聴取好みを送信することを適用することは、異なるユーザのパラメータ値と他のユーザのパラメータ値とを比較しており、同じようなユーザプロファイルの場合、他のユーザに対する環境状況において出力装置でユーザのパラメータ値を使用する。これは、少なくとも類似又は等しい状況の下、両者が比較可能なパラメータ値を決定することを推測する。
【００４７】
一実施形態において、データストレージをクラウドベースで実装するために提供される。これは、データストレージが、少なくとも部分的に、クラウドを使用して実現されることを意味する。この実施形態は、データの（現在の）管理やデータのアプリケーションが空間的に分離されることをより強調する。
【００４８】
一実施形態において、クラウドの形でより容易にアクセス可能なデータストレージが、例えば、複数のユーザに変更を認め、記憶されたパラメータ値及び／又は生成されたユーザプロファイル及び／又はパラメータ値を決定するためのアルゴリズムを好ましくは改良する。
【００４９】
さらに、本発明の目的は、出力装置を使用してオーディオ信号を出力するための方法によって達成され、方法は少なくとも次の方法を備える。すなわち、出力装置の設定可能なパラメータのセットと等しい又は類似するパラメータのセットについてパラメータ値のセットが検索され、パラメータのセットについてのパラメータ値が見つかった場合、パラメータ値及び／又はそれから決定されたパラメータ値を第１出力装置に転送され、転送されたパラメータ値を適用する間に、オーディオ信号が出力装置を使用して出力される。
【００５０】
システム又は実施形態に関する上述の説明及びそれらの考察もその方法に適用され、方法の一実施形態は、方法に関する説明がシステムに対応して適用するため、対応する装置のバリエーションによって実現される。
【００５１】
さらに、本発明は、システムに関連する説明から出発するとき、上述の請求の範囲又は実施の形態のいくつかにしたがって、方法を実行するためのプログラムコードを有するコンピュータプログラムに関連する。
【００５２】
さらに、本発明は、事前決定可能なパラメータ値を有するオーディオ信号を出力するための出力装置の設定可能なパラメータの第１のセットの事前決定可能なパラメータ値を設定するための設定装置によって目的を達成する。したがって、設定装置がパラメータ値を記憶するための少なくとも１つのデータストレージと、少なくとも１つの管理装置を備える。管理装置は、パラメータの第１のセットと等しい又はパラメータの第１のセットと類似するパラメータのセットについて記憶されたパラメータ値を、データストレージで検索するように構成される。最後に、管理装置がパラメータのセットについて記憶されたパラメータ値を、データストレージで見つけた場合、管理装置はパラメータのセットについての記憶されたパラメータ値及び／又はそれから決定されたパラメータ値を第１出力装置に転送するように構成される。一実施形態において、パラメータ値を決定することは、出力装置に直接的に転送し、代わりの又は追加の実施形態において、現在必要とされたパラメータ値を計算又は一般的に決定する（例えば、データテーブルをアクセスすることによって）。
【００５３】
システム及び実施形態に関する上述の説明及びそれらの考察もこのようなシステムの一部のような設定装置に適用される。その上、対応する実施形態及びシステムに関連する説明は、設定装置に適用されるので、設定装置及び少なくとも１つの出力装置は組み合わされて、上述のシステムを形成する。
【００５４】
特に、別の発明システム及び発明方法及び発明設定装置を設計及び開発する複数の方法がある。ここでの参照は、一方で、請求の範囲になされ、他方で、図面に関連する実施形態の次の説明がなされる。
【図面の簡単な説明】
【００５５】
【図１】図１は、第１の実装におけるオーディオ信号を出力するためのシステムを概略的に示す。
【図２】図２は、第２の実装におけるシステムを概略的に示す。
【図３】図３は、その方法の一例のフローチャートを示す。
【発明を実施するための形態】
【００５６】
図１は、オーディオ信号を出力するための典型的なシステムを概略的に示す。
【００５７】
第１出力装置１は、ここでは、例えば、４つのパラメータのパラメータ値を事前設定するための４つのスイッチを備えるラウドスピーカーによって表される。したがって、４つのパラメータは設定可能な第１のセットを形成する。
【００５８】
パラメータの異なるセットに対する異なるパラメータ値は、データストレージ２に記憶され、この場合、管理装置３の一部にある。中央のデータストレージ２は、分散方式で配置された異なる出力装置の操作又は設定を許可する。したがって、出力装置は、特定の実装、すなわちハードウエアに関連する、又は同じ機器を異なる装置で形成される同じ機器上で操作されるアプリケーションに関連する実装において異なっていてもよい。例えば、コンピュータが音楽を再生するため又はビデオ通信を再生するために使用しうり、その結果、それぞれ異なる出力装置にされる。
【００５９】
示された例では、管理装置３は、第１出力装置１の第１のパラメータのセットに一致する記憶されたパラメータのセットをデータストレージ２で検索するように構成される。「一致」とは、ここでは、発見されたセット（すなわち、記憶された、そして以前のセット）は第１のセット（すなわち、パラメータ値で満たされるセットと現在の値）と等しい又は発見されたセットは第１のセットと類似する。類似は、セットは同様の端末装置に関連する、及び／又はセットは同じユーザ又は聴取者に属する及び／又はオーディオ信号（すなわち、例えば、純粋な音声又は古典的な音楽）に類似する、及び／又は複数のパラメータが等しいということかもしれない。これは、アプリケーションの場合に依存して、類似性が定義されることを意味する。
【００６０】
管理装置３はパラメータの一致するセットを見つけ、それぞれのパラメータ値を、ここでは電波で示し、第１出力装置１に転送するだろう。そして、結果として、第１出力装置１はユーザ６による直接的な介入なしに利用可能な一致するパラメータ値を有する。
【００６１】
示された実装では、パラメータのセットとその値とは、第２出力装置４と第３出力装置５とが起源である。したがって、第２出力装置４は第１出力装置１と等しく、第３出力装置５は第１出力装置１と異なる。差異は、ここでは、端末装置（３つのダイヤフラムとは対照的に２つで示されている）に関連するけれども、設定可能なパラメータ（３つのパラメータとは対照的に４つのパラメータ）の数に関連する。管理装置３と第２出力装置４と第３出力装置５との間の接続は、ここでは、一例として、ケーブルによって実現される。
【００６２】
ユーザ６が第２出力装置４と第３出力装置５とにおいてパラメータの設定を実行しているときに（両出力装置４，５が、第１出力装置である現在の出力装置１に関連する履歴出力装置であることを意味する）、これらのパラメータ値が第１出力装置１において自動的に利用可能でもあること意味する。パラメータ値は、ここでは、（第２出力装置４からここに）直接的に使用され、又は、（第３出力装置５からここに）記憶された履歴パラメータ値の適合から生じる。
【００６３】
ユーザが第１出力装置１でパラメータ値を後に変更するとき、パラメータ値はデータストレージ２において許可し、記憶しうる。この例における異なるパラメータ値は、第１出力装置１が自由な環境状況内であるという事実が考えられるのに対して、第２出力装置４と第３出力装置５とは閉鎖環境状況８内に配置される。ここでは箱で示される。
【００６４】
図２は、ユーザ６が４つのパラメータを備えるパラメータの第２のセットのためのパラメータ値を第２出力装置４で事前決定するシステムを示す。これらのパラメータ値は、管理装置３に電波送信され、データストレージ２内に記憶される。この場合、クラウドで実現される。さらに、管理装置３は、パラメータ値からデータストレージ２内に記憶されるユーザ６についてのユーザプロファイル９を生成する。
【００６５】
管理装置３は、第４出力装置１０と他のユーザ１１（又は一般的なユーザ）についてこれからパラメータを決定するために、記憶されたユーザプロファイル９を使用する。これは、１つのパラメータがラウドスピーカー（第２出力装置４）に関連し、他のパラメータはヘッドセット（第４出力装置１０）に関連することを意味する。この目的のために、音量に関連するパラメータ値は、例えば、それに応じて減少される。
【００６６】
さらに、パラメータ値も他のユーザ１１について再計算される。再計算のために、データストレージ２に記憶されたあるユーザ６のユーザプロファイル９と他のユーザ１１１のユーザプロファイル１２は、パラメータ値の一致を許可するためにお互いに比較される。
【００６７】
図３は、本発明の方法の概略的なフローを示す。
【００６８】
ステップ１００において、彼又は彼女にとって最適な音が結果として得られるように、
ユーザは出力装置（上述した第２出力装置）でパラメータを設定する。パラメータは、ここでは、ユーザとしての彼又は彼女についてだけでなく、出力装置について又は出力装置に属するタイプについても、そして与えられる環境又は聴取状況についても特異的である。
【００６９】
パラメータ値はステップ１０１において記憶される。
【００７０】
ユーザは他の出力装置を使用してオーディオ信号を出力することを望んでおり、彼又は彼女はステップ１０２において出力を開始する。
【００７１】
ステップ１０３において、パラメータが他の出力装置において設定可能であるクエリは実行される。この場合においてパラメータの要求されたセットが決定されることを意味する。
【００７２】
その後に、ステップ１０４において、データ記憶量は、パラメータの要求されたセットと等しい又は類似するパラメータのセットを検索される。
【００７３】
見つけたパラメータのセットに依存して、異なるステップがステップ１０５のあとに実行されるだろう。
【００７４】
パラメータの同じセットが見つかったとき、ステップ１０６において、それぞれのパラメータ値が出力装置に転送され、ステップ１０７において、出力装置は適切なパラメータ値を有するオーディオ信号を出力する。
【００７５】
パラメータのセットが等しくないとき、ステップ１０８において、要求されたパラメータ値が記憶されたパラメータ値から決定される。したがって、例えば、等しいパラメータを有するパラメータ値は許可され、相互に逸脱するパラメータを有する近似の方法は計算又は決定するために使用される。例えば、２つの周波数範囲だけ設定するとき、３つの周波数範囲が要求されるが、不明な周波数範囲に対する設定、すなわちパラメータ値は、既知の事柄からの推定又は保管によって決定される。
【００７６】
ステップ１０９において、決定されたパラメータ値は出力装置に転送され、ステップ１１０において、オーディオ信号を出力するためにそれらが使用される。
【００７７】
全体として、実装に依存して、本発明は異なる出力装置の間だけでなく、異なるユーザ／聴取者又は聴取者のグループの間のパラメータ値の転送を許可する。履歴パラメータは、ここでは、出力装置における設定で得られ、純粋なデータ（例えば、アルゴリズムのように）として直接的に記憶もできる。現在要求されたパラメータ値は、変更されていない方法で記憶されたパラメータ値から取得され、又は記憶されたデータ又は生成されたユーザプロファイルを使用することによって決定される。特に、現在の出力装置の可能性への適応は、履歴データ材料が存在する状態で行われる。ユーザプロファイルの代わりに又は加えて、出力装置又は出力装置のタイプについてのプロファイル及び／又は環境状況のプロファイルも生成される。
【００７８】
したがって、本発明は、それぞれの個人的な音の好みをそれぞれの現在の音声状況に転送及び／又は適用を許可する。さらに、パラメータ値は、それぞれのオーディオ信号の種類又はオーディオ信号自身にも関連し、この点において他のものと異なる。例えば、オーディオ信号がジャズ音楽であるとき、パラメータ値はＪ．Ｓ．バッハのピアノ作品を再生するときと異なる。他の例において、演説を再生するとき、ユーザはもっと高音を好む。なぜなら、彼又は彼女は高音を聞くとき弱められ、その結果として、この方法でより理解できる。他のオーディオ信号のタイプとして音楽の場合、個人的な好みのために低音を強調するだろう。例えば、ポッドキャストアプリケーションは、音楽プレーヤーのアプリケーションのパラメータ値とは異なるパラメータ値を転送されるだろう。
【００７９】
出力装置は一般に機器（テレビ、携帯電話、コンピュータ、ステレオセット、補聴器など）、又は実行する（音楽の再生、電話通信、映画の再生など）ためのそれぞれのアプリケーション、及びポッドキャストプレーヤーやボイスオーバーＩＰ通信（ＶｏｉｃｅＯｖｅｒＩＰ−ｔｅｌｅｐｈｏｎｙ）アプリケーションのような対応するソフトウエアに関連する。
【００８０】
さらに、管理装置は、管理装置によって使用されるアルゴリズムを改良するため及び同じ要求に適応するために学習することができる。ある実装において、管理装置はユーザプロファイルをパラメータ値の任意の更なる初期値に自動的に適応する。
【００８１】
装置に関して記載された機能的特徴も、当業者には明らかであるように、対応する機能性を備えるように構成された対応する方法の特徴を表す。反対に、方法について記載された特徴も対応する特徴を実行するように構成された対応する装置の特徴を表す。
【図１】
2019503503.tif 000003
【図２】
2019503503.tif 000004
【図３】
2019503503.tif 000005
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
オーディオ信号を出力するためのシステムであって、
オーディオ信号を出力するための第１出力装置（１）を備え、
前記第１出力装置（１）は、設定可能なパラメータの第１のセットの事前決定可能なパラメータ値を有するオーディオ信号を出力するように構成され、
パラメータ値を記憶するための少なくとも１つのデータストレージ（２）を備え、
少なくとも１つの管理装置（３）を備え、
前記管理装置（３）は前記データストレージ（２）にアクセスするように構成され、
前記管理装置（３）は前記パラメータの第１のセットと等しい又は前記パラメータの第１のセットと類似するパラメータのセットについて記憶されたパラメータ値を前記データストレージ（２）で検索するように構成され、
前記管理装置（３）は、前記パラメータのセットについて記憶されたパラメータ値を前記データストレージ（２）で検索するとき、前記ユーザに類似する好みを有するユーザに関連付けられたパラメータのセットについての記憶されたパラメータ値を好む前記管理装置（３）によって前記第１出力装置（１）に関連付けられたユーザ（６）を考慮に入れるように構成され、
前記管理装置（３）が前記データストレージ（２）において前記パラメータのセットについての記憶されたパラメータ値を見つけた場合、前記管理装置（３）は、前記パラメータのセットについて前記記憶されたパラメータ値及び／又はそこから決定されたパラメータ値を前記第１出力装置（１）に転送するように前記管理装置（３）が構成される、システム。
【請求項２】
請求項１に記載するシステムであって、
前記システムはオーディオ信号を出力するための第２出力装置（４）を備え、
前記第２出力装置（４）は、設定可能なパラメータの第２のセットの事前決定可能なパラメータ値を有する信号を出力するように構成され、
前記管理装置（３）は、前記パラメータの第２のセットの前記パラメータ値を事前決定した後、前記設定可能なパラメータの第２のセットの前記事前決定可能なパラメータ値が設定されたパラメータに設定されるように、前記データストレージ（２）に前記パラメータの第２のセットの少なくとも前記設定されたパラメータ値を記憶するように構成されることを特徴とするシステム。
【請求項３】
請求項１又は請求項２に記載するシステムであって、
前記管理装置（３）は、前記設定されたパラメータ値を、前記第２出力装置（４）のタイプ及び／又はユーザ（６）及び／又は環境状況（７、８）及び／又は出力される前記オーディオ信号及び／又は出力される前記オーディオ信号のタイプに関連付けて前記データストレージ（２）に記憶するように構成されることを特徴とするシステム。
【請求項４】
請求項１ないし請求項３のいずれかに記載するシステムであって、
前記管理装置（３）は、前記パラメータのセットについての前記記憶されたパラメータ値を前記データストレージ（２）で検索するとき、前記第１出力装置（１）に関連付けられたユーザ（６）を考慮に入れるように構成され、前記管理装置（３）は、前記ユーザと、異なる出力装置のタイプに関連付けられたパラメータのセットについて記憶されたパラメータ値を、前記出力装置のタイプと他のユーザに関連付けられたパラメータのセットについての記憶されたパラメータ値とを比較し、前記データストレージから、前記比較の結果が最も類似するユーザに関連付けられた前記パラメータのセットについての記憶されたパラメータ値を選択することを特徴とする、システム。
【請求項５】
請求項１ないし請求項４のいずれかに記載するシステムであって、
前記管理装置（３）は、前記パラメータのセットについての前記記憶されたパラメータ値を前記データストレージ（２）で検索するとき、前記第１出力装置（１）に関連付けられた現在の環境状況を考慮に入れるように構成され、前記管理装置（３）は、前記現在の環境状況に類似する環境状況に関連付けられたパラメータのセットについての記憶されたパラメータ値を好むことを特徴とする、システム。
【請求項６】
請求項１ないし請求項５のいずれかに記載するシステムであって、
前記管理装置（３）は、前記パラメータのセットについての前記記憶されたパラメータ値を前記データストレージ（２）で検索するとき、出力される前記オーディオ信号を考慮に入れるように構成され、前記管理装置（３）は、前記出力されるオーディオ信号に類似するオーディオ信号に関連付けられたパラメータのセットについての記憶されたパラメータ値を好むことを特徴とする、システム。
【請求項７】
請求項１ないし請求項６のいずれかに記載するシステムであって、
前記管理装置（３）は、ユーザ（６）に関連付けられ前記データストレージ（２）に記憶された前記パラメータ値をはじめとする前記ユーザ（６）についてのユーザプロファイル（９）を形成するように構成されることを特徴とするシステム。
【請求項８】
請求項７に記載するシステムであって、
オーディオ信号を出力するための第４出力装置（１０）を備え、
前記第４出力装置（１０）は設定可能なパラメータの第４セットの事前決定可能なパラメータ値を有するオーディオ信号を出力するように構成され、
前記管理装置（３）は、形成された前記ユーザプロファイル（９）から、パラメータの第４のセットについてのパラメータ値を決定し、これを前記第４出力装置（１０）に転送するように構成されることを特徴とするシステム。
【請求項９】
請求項７又は請求項８に記載するシステムであって、
前記管理装置（３）は、前記ユーザ（６）について形成された前記ユーザプロファイル（９）から他のユーザ（１１）についてのユーザプロファイルを決定するように構成されることを特徴とするシステム。
【請求項１０】
請求項１ないし請求項９のいずれかに記載するシステムであって、
前記データストレージ（２）はクラウドベースで実装されることを特徴とするシステム。
【請求項１１】
出力装置（１）を使用してオーディオ信号を出力するための方法であって、
前記出力装置（１）の設定可能なパラメータのセットと等しい又は類似するパラメータのセットについてのパラメータ値のセットが検索され、検索するときに、前記第１出力装置（１）に関連付けられたユーザ（６）が、前記ユーザに類似する好みを有するユーザに関連付けられたパラメータのセットについての前記パラメータ値を好むことを考慮に入れられ、
前記パラメータのセットについてのパラメータ値が見つかった場合、前記パラメータ値及び／又はそれから決定されたパラメータ値が前記第１出力装置（１）に転送され、
前記転送されたパラメータ値を適用する間に、前記オーディオ信号が前記出力装置（１）を使用して出力される、方法。
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
オーディオ信号を出力するためのシステムであって、
オーディオ信号を出力するための第１出力装置（１）を備え、
前記第１出力装置（１）は、設定可能なパラメータの第１のセットの事前決定可能なパラメータ値を有するオーディオ信号を出力するように構成され、
パラメータ値を記憶するための少なくとも１つのデータストレージ（２）を備え、
少なくとも１つの管理装置（３）を備え、
前記管理装置（３）は前記データストレージ（２）にアクセスするように構成され、
前記管理装置（３）は前記パラメータの第１のセットと等しい又は前記パラメータの第１のセットと類似するパラメータのセットについて記憶されたパラメータ値を前記データストレージ（２）で検索するように構成され、
前記管理装置（３）は、前記パラメータのセットについて前記記憶されたパラメータ値を前記データストレージ（２）で検索するとき、前記管理装置（３）によって前記第１出力装置（１）に関連付けられたユーザ（６）であって、前記ユーザに類似する好みを有するユーザに関連付けられたパラメータのセットについて記憶されたパラメータ値を好む、ユーザ（６）を考慮に入れるように構成され、
前記管理装置（３）が前記データストレージ（２）において前記パラメータのセットについての記憶されたパラメータ値を見つけた場合、前記管理装置（３）は、前記パラメータのセットについて前記記憶されたパラメータ値及び／又はそこから決定されたパラメータ値を前記第１出力装置（１）に転送するように前記管理装置（３）が構成される、システム。
【請求項２】
請求項１に記載するシステムであって、
前記システムはオーディオ信号を出力するための第２出力装置（４）を備え、
前記第２出力装置（４）は、設定可能なパラメータの第２のセットの事前決定可能なパラメータ値を有する信号を出力するように構成され、
前記管理装置（３）は、前記パラメータの第２のセットの前記パラメータ値を事前決定した後、前記設定可能なパラメータの第２のセットの前記事前決定可能なパラメータ値が設定されたパラメータに設定されるように、前記データストレージ（２）に前記パラメータの第２のセットの少なくとも前記設定されたパラメータ値を記憶するように構成されることを特徴とするシステム。
【請求項３】
請求項１又は請求項２に記載するシステムであって、
前記管理装置（３）は、前記設定されたパラメータ値を、前記第２出力装置（４）のタイプ及び／又はユーザ（６）及び／又は環境状況（７、８）及び／又は出力される前記オーディオ信号及び／又は出力される前記オーディオ信号のタイプに関連付けて前記データストレージ（２）に記憶するように構成されることを特徴とするシステム。
【請求項４】
請求項１ないし請求項３のいずれかに記載するシステムであって、
前記管理装置（３）は、前記パラメータのセットについての前記記憶されたパラメータ値を前記データストレージ（２）で検索するとき、前記第１出力装置（１）に関連付けられたユーザ（６）を考慮に入れるように構成され、前記管理装置（３）は、前記ユーザと、異なる出力装置のタイプに関連付けられたパラメータのセットについて記憶されたパラメータ値を、前記出力装置のタイプと他のユーザに関連付けられたパラメータのセットについての記憶されたパラメータ値とを比較し、前記データストレージから、前記比較の結果が最も類似するユーザに関連付けられた前記パラメータのセットについての記憶されたパラメータ値を選択することを特徴とする、システム。
【請求項５】
請求項１ないし請求項４のいずれかに記載するシステムであって、
前記管理装置（３）は、前記パラメータのセットについての前記記憶されたパラメータ値を前記データストレージ（２）で検索するとき、前記第１出力装置（１）に関連付けられた現在の環境状況を考慮に入れるように構成され、前記管理装置（３）は、前記現在の環境状況に類似する環境状況に関連付けられたパラメータのセットについての記憶されたパラメータ値を好むことを特徴とする、システム。
【請求項６】
請求項１ないし請求項５のいずれかに記載するシステムであって、
前記管理装置（３）は、前記パラメータのセットについての前記記憶されたパラメータ値を前記データストレージ（２）で検索するとき、出力される前記オーディオ信号を考慮に入れるように構成され、前記管理装置（３）は、前記出力されるオーディオ信号に類似するオーディオ信号に関連付けられたパラメータのセットについての記憶されたパラメータ値を好むことを特徴とする、システム。
【請求項７】
請求項１ないし請求項６のいずれかに記載するシステムであって、
前記管理装置（３）は、ユーザ（６）に関連付けられ前記データストレージ（２）に記憶された前記パラメータ値をはじめとする前記ユーザ（６）についてのユーザプロファイル（９）を形成するように構成されることを特徴とするシステム。
【請求項８】
請求項７に記載するシステムであって、
オーディオ信号を出力するための第４出力装置（１０）を備え、
前記第４出力装置（１０）は設定可能なパラメータの第４セットの事前決定可能なパラメータ値を有するオーディオ信号を出力するように構成され、
前記管理装置（３）は、形成された前記ユーザプロファイル（９）から、パラメータの第４のセットについてのパラメータ値を決定し、これを前記第４出力装置（１０）に転送するように構成されることを特徴とするシステム。
【請求項９】
請求項７又は請求項８に記載するシステムであって、
前記管理装置（３）は、前記ユーザ（６）について形成された前記ユーザプロファイル（９）から他のユーザ（１１）についてのユーザプロファイルを決定するように構成されることを特徴とするシステム。
【請求項１０】
請求項１ないし請求項９のいずれかに記載するシステムであって、
前記データストレージ（２）はクラウドベースで実装されることを特徴とするシステム。
【請求項１１】
出力装置（１）を使用して設定可能なパラメータのセットの事前決定可能なパラメータ値を有するオーディオ信号を出力するための方法であって、
前記出力装置（１）の設定可能なパラメータのセットと等しい又は類似するパラメータのセットについての記憶されたパラメータ値のセットがデータストレージから検索され、検索するときに、前記第１出力装置（１）に関連付けられたユーザ（６）が考慮されて、前記ユーザに類似する好みを有するユーザに関連付けられたパラメータのセットについての前記パラメータ値が好まれ、
前記パラメータのセットについてのパラメータ値が見つかった場合、前記パラメータ値及び／又はそれから決定されたパラメータ値が前記第１出力装置（１）に転送され、
前記転送されたパラメータ値を適用する間に、前記オーディオ信号が前記出力装置（１）を使用して出力される、方法。
【国際調査報告】
2019503503.tif 000006
2019503503.tif 000007
2019503503.tif 000008
2019503503.tif 000009
2019503503.tif 000010
2019503503.tif 000011